(57)【特許請求の範囲】
【請求項１】
ＩＣタグを有する有価価値記録媒体に基づいて遊技媒体の貸出を行う遊技媒体貸出装置であって、
前記ＩＣタグは、前記有価価値記録媒体を一意に識別するための識別情報と、有価価値の残高を表す有価価値情報と、前記有価価値記録媒体の状態を表す状態情報とを記憶し、かつ、前記遊技媒体貸出装置から受信した信号に含まれる識別情報と前記記憶している識別情報とが一致する場合に、前記記憶している有価価値情報または状態情報を、当該信号に含まれる有価価値情報または状態情報に書き換え、
前記遊技媒体貸出装置は、
投入された有価価値記録媒体を係止する第１検知部と、
前記第１検知部と接続され、前記第１検知部から流下した有価価値記録媒体を貯留する第１の通路と、
前記第１の通路に設けられ、貯留された有価価値記録媒体を係止する第２検知部と、
前記第１検知部及び前記第２検知部の両方に有価価値記録媒体が係止している場合、前記第１検知部に係止された有価価値記録媒体から、第１の値を持つ前記状態情報と、前記識別情報と、前記有価価値情報とを読み出し、前記第２検知部に係止された有価価値記録媒体から、前記第１の値と異なる第２の値を持つ前記状態情報と、前記識別情報とを読み出すアンテナと、
前記状態情報を参照して、前記第１検知部に係止されている有価価値記録媒体を特定し、前記第１検知部に係止されている有価価値記録媒体から読み出した有価価値情報から所定の貸出量に相当する有価価値を減算して該有価価値情報を修正し、当該有価価値記録媒体の識別情報とともに前記修正された有価価値情報を含む信号を前記アンテナを通じて送信し、且つ該所定の貸出量に相当する量の遊技媒体を遊技者に貸し出す命令を遊技機に送信する制御部と、
を有することを特徴とする遊技媒体貸出装置。
【請求項２】
前記第１の値は、有価価値の残高が残っていることを表し、前記第２の値は、一時的な状態であることを表す、請求項１に記載の遊技媒体貸出装置。
【請求項３】
前記制御部は、前記第１検知部に係止された有価価値記録媒体の有価価値の残高がなくなったとき、前記アンテナを通じて、当該有価価値記録媒体の識別情報とともに、有価価値の残高がないことを表す第３の値を持つ前記状態情報を含む信号を送信することにより、当該有価価値記録媒体の状態情報を前記第３の値に書き換えて当該有価価値記録媒体を前記第１の通路へ流下させる、請求項２に記載の遊技媒体貸出装置。
【請求項４】
前記制御部は、前記第１検知部において有価価値記録媒体が係止されておらず、かつ、前記第２検知部において有価価値記録媒体を検知すると、前記アンテナを通じて、当該検知された有価価値記録媒体の識別情報とともに前記第２の値を持つ前記状態情報を含む信号を送信することにより、当該検知された有価価値記録媒体の状態情報を前記第２の値に書き換える、請求項１〜３の何れか一項に記載の遊技媒体貸出装置。
【請求項５】
前記第１検知部または前記第２検知部に係止された有価価値記録媒体の残高を追加する残高追加部をさらに有する、請求項４に記載の遊技媒体貸出装置。
【請求項６】
前記第１検知部と接続され、前記第１検知部から流下した有価価値記録媒体を返却する第２の通路と、
前記第１検知部に係止された有価価値記録媒体を、前記第１の通路または前記第２の通路の何れか一方へ流下させる通路切替部とをさらに有し、
前記制御部は、前記第１検知部に係止された有価価値記録媒体の有価価値の残高がなくなったとき、該有価価値記録媒体が前記第１の通路へ流下するように前記通路切替部を制御し、該有価価値記録媒体の有価価値の残高が残っており、且つ返却を指示する命令を受信した場合、該有価価値記録媒体が前記第２の通路へ流下するように前記通路切替部を制御する、請求項３〜５の何れか一項に記載の遊技媒体貸出装置。
【請求項７】
投入された有価価値記録媒体を係止する第１検知部と、前記第１検知部と接続され、前記第１検知部から流下した有価価値記録媒体を貯留する第１の通路と、前記第１の通路に設けられ、貯留された有価価値記録媒体を係止する第２検知部と、前記第１検知部または前記第２検知部に係止された有価価値記録媒体に記録された情報の読み出しまたは書き込みを行うアンテナとを有する遊技媒体貸出装置の制御方法であって、
前記有価価値記録媒体は、
前記有価価値記録媒体を一意に識別するための識別情報と、有価価値の残高を表す有価価値情報と、前記有価価値記録媒体の状態を表す状態情報とを記憶し、かつ、
前記遊技媒体貸出装置から受信した信号に含まれる識別情報と前記記憶している識別情報とが一致する場合に、前記記憶している有価価値情報または状態情報を、当該信号に含まれる有価価値情報または状態情報に書き換えるＩＣタグを有し、
前記制御方法は、
前記第１検知部及び前記第２検知部の両方に有価価値記録媒体が係止している場合、前記アンテナを介して前記第１検知部に係止された有価価値記録媒体から、第１の値を持つ前記状態情報と、前記識別情報と、前記有価価値情報とを読み出し、かつ、前記アンテナを介して前記第２検知部に係止された有価価値記録媒体から、前記第１の値と異なる第２の値を持つ前記状態情報と、前記識別情報とを読み出すステップと、
前記状態情報を参照して、前記第１検知部に係止されている有価価値記録媒体を特定するステップと、
前記第１検知部に係止されている有価価値記録媒体から読み出した有価価値情報から所定の貸出量に相当する有価価値を減算して該有価価値情報を修正するステップと、
前記第１検知部に係止されている有価価値記録媒体の識別情報とともに前記修正された有価価値情報を含む信号を前記アンテナを通じて送信することにより、当該有価価値記録媒体に修正された有価価値情報を書き込むステップと、
前記所定の貸出量に相当する量の遊技媒体を遊技者に貸し出す命令を遊技機に送信するステップと、
を有することを特徴とする制御方法。
【請求項８】
前記修正された有価価値の残高がない場合、前記第１検知部に係止されている有価価値記録媒体の識別情報とともに有価価値の残高がないことを表す第３の値を持つ前記状態情報を含む信号を送信することにより、当該有価価値記録媒体の状態情報を前記第３の値に書き換えるステップをさらに有する、請求項７に記載の制御方法。
【請求項９】
有価価値記録媒体であって、
前記有価価値記録媒体を一意に識別するための識別情報と、有価価値の残高を表す有価価値情報と、前記有価価値記録媒体の状態を表す状態情報とを記憶し、かつ、
遊技媒体貸出装置から受信した信号に含まれる識別情報と前記記憶している識別情報とが一致する場合に、前記記憶している有価価値情報または状態情報を、当該信号に含まれる有価価値情報または状態情報に書き換えるＩＣタグ、
を有することを特徴とする有価価値記録媒体。
【発明の詳細な説明】
【技術分野】
【０００１】
本発明は、遊技機の遊技媒体の貸出を行う遊技媒体貸出装置及びその制御方法に関し、特に、貸出す遊技媒体の数に応じて有価価値記録媒体に記録された有価価値情報を更新する遊技媒体貸出装置及びその制御方法に関する。
【背景技術】
【０００２】
近年、パチンコ機などの遊技機で使用する玉の貸出に、有価価値を記録した有価価値記録媒体を用いたシステムが開発されている。そのシステムでは、有価価値記録媒体に記録された有価価値の残高を読み取り、その残高の範囲で所定数量の玉を貸し出す遊技媒体貸出装置が使用されている。このような遊技媒体貸出装置では、不正防止のために、残高のなくなった有価価値記録媒体を回収し、残高が残っている有価価値記録媒体を遊技者に返却することが望ましい。そこで、有価価値記録媒体であるコインに記録された有価価値情報にアクセスするための第１及び第２の検知部を、それぞれコインが通行する通路の分岐部に設け、コインに記録された有価価値の残高に応じてコインの配送先を切り替える遊技システムが開発されている（特許文献１参照）。
【０００３】
係る遊技システムは、投入されたコインに対し、まず、第１の検知部において、貸出す玉の数量に応じてコインに記録された有価価値の残高を修正する。そして、その残高が残っている場合には、そのコインをコイン返却口に直結する通路へ誘導し、遊技者に返却する。一方、残高がなくなった場合には、そのコインを第２の検知部へと通じる通路へ誘導する。そして、第２の検知部に置かれたコインに対して、残高が追加されると、そのコインをコイン返却口に通じる通路へ誘導し、遊技者に返却する。一方、第２の検知部に置かれたコインに対して、そのコインに記録されたＩＤコードが無効であると判断すると、そのコインを回収する。
【０００４】
【特許文献１】特開２００１−２９３２４２号公報
【発明の開示】
【発明が解決しようとする課題】
【０００５】
ここで、遊技媒体貸出装置は、通常、遊技機と遊技機の間に設置されるものであり、その設置スペースは限られている。一方、上記のシステムでは、検知部ごとに別個に設けられたアンテナ及びその付属回路などを、その限られたスペースに配置するため、回路などから発生する熱を逃がすための放熱スペースも限られている。しかし、故障の発生を防止することを考慮すると、放熱スペースをできるだけ広く確保することが望ましい。
【０００６】
上記の課題に鑑み、本発明は、アンテナの数を増やすことなく、複数種類の処理を行うことが可能な遊技媒体貸出装置及び遊技媒体貸出装置の制御方法を提供することを目的とする。
【課題を解決するための手段】
【０００７】
本発明の第１の形態によれば、ＩＣタグを有する有価価値記録媒体に基づいて遊技媒体の貸出を行う遊技媒体貸出装置が提供される。ここでＩＣタグは、有価価値記録媒体を一意に識別するための識別情報と、有価価値の残高を表す有価価値情報と、有価価値記録媒体の状態を表す状態情報とを記憶し、かつ、遊技媒体貸出装置から受信した信号に含まれる識別情報と記憶している識別情報とが一致する場合に、記憶している有価価値情報または状態情報を、その信号に含まれる有価価値情報または状態情報に書き換えるものである。そして係る遊技媒体貸出装置は、投入された有価価値記録媒体を係止する第１検知部と、第１検知部と接続され、第１検知部から流下した有価価値記録媒体を貯留する第１の通路と、第１の通路に設けられ、貯留された有価価値記録媒体を係止する第２検知部と、第１検知部及び第２検知部の両方に有価価値記録媒体が係止している場合、第１検知部に係止された有価価値記録媒体から、第１の値を持つ状態情報と、識別情報と、有価価値情報とを読み出し、第２検知部に係止された有価価値記録媒体から、第１の値と異なる第２の値を持つ状態情報と、識別情報とを読み出すアンテナと、状態情報を参照して、第１検知部に係止されている有価価値記録媒体を特定し、第１検知部に係止されている有価価値記録媒体から読み出した有価価値情報から所定の貸出量に相当する有価価値を減算してその有価価値情報を修正し、その有価価値記録媒体の識別情報とともに修正された有価価値情報を含む信号をアンテナを通じて送信し、且つ所定の貸出量に相当する量の遊技媒体を遊技者に貸し出す命令を遊技機に送信する制御部とを有する。
【０００８】
また本発明の第１の形態において、第１の値は、有価価値の残高が残っていることを表し、第２の値は、一時的な状態であることを表すことが好ましい。
【０００９】
さらに本発明の第１の形態において、制御部は、第１検知部に係止された有価価値記録媒体の有価価値の残高がなくなったとき、アンテナを通じて、その有価価値記録媒体の識別情報とともに、有価価値の残高がないことを表す第３の値を持つ状態情報を含む信号を送信することにより、その有価価値記録媒体の状態情報を第３の値に書き換えてその有価価値記録媒体を第１の通路へ流下させることが好ましい。
【００１０】
さらに本発明の第１の形態において、制御部は、第１検知部において有価価値記録媒体が係止されておらず、かつ、第２検知部において有価価値記録媒体を検知すると、アンテナを通じて、検知された有価価値記録媒体の識別情報とともに第２の値を持つ状態情報を含む信号を送信することにより、検知された有価価値記録媒体の状態情報を第２の値に書き換えることが好ましい。
【００１１】
また、本発明の第１の形態に係る遊技媒体貸出装置は、第１検知部または第２検知部に係止された有価価値記録媒体の残高を追加する残高追加部をさらに有することが好ましい。
【００１３】
また、本発明の第１の形態に係る遊技媒体貸出装置は、第１検知部と接続され、第１検知部から流下した有価価値記録媒体を返却する第２の通路と、第１検知部に係止された有価価値記録媒体を、第１の通路または前記第２の通路の何れか一方へ流下させる通路切替部とをさらに有し、制御部は、第１検知部に係止された有価価値記録媒体の有価価値の残高がなくなったとき、その有価価値記録媒体が第１の通路へ流下するように通路切替部を制御し、その有価価値記録媒体の有価価値の残高が残っており、且つ返却を指示する命令を受信した場合、その有価価値記録媒体が第２の通路へ流下するように通路切替部を制御することが好ましい。
【００１４】
また、本発明の第２の形態によれば、投入された有価価値記録媒体を係止する第１検知部と、第１検知部と接続され、第１検知部から流下した有価価値記録媒体を貯留する第１の通路と、第１の通路に設けられ、貯留された有価価値記録媒体を係止する第２検知部と、第１検知部または第２検知部に係止された有価価値記録媒体に記録された情報の読み出しまたは書き込みを行うアンテナとを有する遊技媒体貸出装置の制御方法が提供される。ここで有価価値記録媒体は、有価価値記録媒体を一意に識別するための識別情報と、有価価値の残高を表す有価価値情報と、有価価値記録媒体の状態を表す状態情報とを記憶し、かつ、遊技媒体貸出装置から受信した信号に含まれる識別情報と記憶している識別情報とが一致する場合に、記憶している有価価値情報または状態情報を、その信号に含まれる有価価値情報または状態情報に書き換えるＩＣタグを有する。そして係る遊技媒体貸出装置の制御方法は、第１検知部及び第２検知部の両方に有価価値記録媒体が係止している場合、アンテナを介して第１検知部に係止された有価価値記録媒体から、第１の値を持つ状態情報と、識別情報と、有価価値情報とを読み出し、かつ、アンテナを介して第２検知部に係止された有価価値記録媒体から、第１の値と異なる第２の値を持つ状態情報と、識別情報とを読み出すステップと、状態情報を参照して、第１検知部に係止されている有価価値記録媒体を特定するステップと、第１検知部に係止されている有価価値記録媒体から読み出した有価価値情報から所定の貸出量に相当する有価価値を減算してその有価価値情報を修正するステップと、第１検知部に係止されている有価価値記録媒体の識別情報とともに修正された有価価値情報を含む信号をアンテナを通じて送信することにより、その有価価値記録媒体に修正された有価価値情報を書き込むステップと、所定の貸出量に相当する量の遊技媒体を遊技者に貸し出す命令を遊技機に送信するステップと、を有する。
【００１５】
また、本発明の第２の形態に係る遊技媒体貸出装置の制御方法は、修正された有価価値の残高がない場合、第１検知部に係止されている有価価値記録媒体の識別情報とともに有価価値の残高がないことを表す第３の値を持つ状態情報を含む信号を送信することにより、その有価価値記録媒体の状態情報をその第３の値に書き換えるステップをさらに有することが好ましい。
【００１６】
さらに、本発明の第３の形態によれば、上記の何れかに記載の遊技媒体貸出装置で使用される有価価値記録媒体が提供される。係る有価価値記録媒体は、その有価価値記録媒体の状態を表す状態情報と、有価価値の残高を表す有価価値情報を記録する記録部を有する。
【発明の効果】
【００１７】
本発明によれば、アンテナの数を増やすことなく、複数種類の処理を行うことが可能な遊技媒体貸出装置及び遊技媒体貸出装置の制御方法を提供することが可能となった。
【発明を実施するための最良の形態】
【００１８】
以下、図面を参照しつつ本発明を適用した遊技媒体貸出装置について詳細に説明する。本発明を適用した遊技媒体貸出装置は、有価価値記録媒体であるコインに記録された有価価値情報を読み取り、その有価価値情報に示された有価価値の残高の範囲で、所定の貸出量の遊技媒体（例えば、パチンコ玉）を貸し出す命令を、パチンコ機などの遊技機に対して送信するものである。また遊技媒体貸出装置は、コインに記録された状態情報に基づいて、一つのアンテナで二つの異なる検知部に位置するコインのうち、何れか一方を選択して情報の更新を行う構成としたものである。
【００１９】
図１は、本発明を適用した遊技媒体貸出装置１の概略斜視図を示す。図１に示すように、遊技媒体貸出装置１は、コイン処理部２と、紙幣識別部３と、ユーザインターフェース部４と、貯留ボタン５と、制御部６とを有する。また図２に、遊技媒体貸出装置１を設置した状態を示す。図２に示すように、遊技媒体貸出装置１は、遊技機１１０と遊技機１２０の間に設置される。そして、遊技媒体貸出装置１に投入されたコインの残高に従って、所定数の玉を遊技機１１０に貸し出すよう構成されている。また、遊技機１１０に設けられた返却ボタン１１１または玉貸ボタン１１２を遊技者が操作することにより、遊技媒体貸出装置１に投入されたコインの返却、遊技機１１０への玉の貸し出しなどの処理が行われる。
図３に、遊技媒体貸出装置１の機能ブロック図を示す。遊技媒体貸出装置１は、通信回線を介して、遊技機１１０及び発行済みのコインを管理する有価価値記録媒体管理装置１３０と通信可能に接続されている。
以下、遊技媒体貸出装置１の各部について説明する。
【００２０】
コイン処理部２は、遊技媒体貸出装置１の最下部に配置され、投入されたコインから、そのコインに記録された有価価値情報、状態情報、識別情報などを読み取り、制御部６に送信する。またコイン処理部２は、制御部６から受信した有価価値情報、状態情報などを投入されたコインに書き込んで、そのコインに記録された情報を更新する。あるいは、コイン処理部２は、制御部６から受信したそれらの情報を、コイン処理部２内に貯留された、残高の無いコインに書き込む。
【００２１】
ここで、本実施形態に係る遊技媒体貸出装置１で使用される、有価価値記録媒体であるコインについて説明する。図４は、このコイン７の概略構成図である。コイン７は、遊技媒体貸出装置１との間で無線通信により情報の交換が可能なＩＣタグ８を内蔵している。そのＩＣタグには、有価価値の残高、そのコインの状態を表す状態情報及び各コインを一意に識別するための識別情報が記録される。本実施形態では、コインの状態として、「価値有り」、「価値無し」、「一時」があり、例えば、「価値有り」が０１、「価値無し」が０２、「一時」が０３といったコードで表される。
【００２２】
以下、図５（ａ）及び（ｂ）を参照しつつ、コイン処理部２の構成を詳細に説明する。図５（ａ）は、コイン処理部２の概略斜視透過図であり、図５（ｂ）は、コイン処理部２の概略側面透過図である。
図５（ａ）及び（ｂ）に示すように、コイン処理部２の上端近傍の正面側には、コイン投入口１０が設けられている。投入口１０には、制御部６からの制御信号に基づいて、投入口１０を開閉するシャッタ２２が設けられている。また、コイン投入口１０に近接して、投入されたコインとの間で情報の読み書きを行うための第１検知部１１が配置される。第１検知部１１の下方には、投入されたコインを直接遊技者に返却するための返却通路１２が設けられる。一方、第１検知部１１の側方には、返却通路１２と分岐して、投入されたコインを一時的に貯留するためのリサイクル通路１３が設けられる。返却通路１２及びリサイクル通路１３は、コインがその通路内を自重によって転動可能なように、略垂直となるか、下流側ほどその底面が下方へ向かって傾斜するよう形成されている。そして、返却通路１２の入口及びリサイクル通路１３の入口には、それぞれ返却通路用フラッパ１４及びリサイクル通路用フラッパ１５が設けられ、通路切替部として機能する。返却通路用フラッパ１４は、一端が返却通路１２の側面に固定され、その一端を回転軸として回動可能となっている。その回転軸は、図示しないソレノイドに連結されている。そして、返却通路用フラッパ１４は、制御部６からの制御信号に基づいて、ソレノイドが所定角だけ回転することにより、第１検知部１１から返却通路１２へ通じる入口を開閉する。同様に、リサイクル通路用フラッパ１５は、一端がリサイクル通路１３の側面に固定され、その一端を回転軸として回動可能となっている。その回転軸も、別個に設けられたソレノイド（図示せず）に連結されている。そして、リサイクル通路用フラッパ１５は、制御部６からの制御信号に基づいて、そのソレノイドが所定角だけ回転することにより、第１検知部１１からリサイクル通路１３へ通じる入口を開閉する。返却通路用フラッパ１４とリサイクル通路用フラッパ１５の両方が閉じている場合、コイン処理部２に投入されたコインは、第１検知部１１に係止される。
【００２３】
リサイクル通路１３と返却通路１２は、コイン処理部２の下部で合流し、コイン返却口１６へと通じている。また、リサイクル通路１３には、返却通路１２と合流する直前において、リサイクル通路１３に貯留されたコインとの間で情報の読み書きを行うための第２検知部１７が設けられている。さらに第２検知部１７には、ストッパ１８が設けられる。ストッパ１８は、制御部６からの制御信号に基づいて、リサイクル通路１３内に一時的に貯留されたコインを、第２検知部１７または第２検知部１７の手前で係止させる。
【００２４】
図６（ａ）及び（ｂ）を参照しつつ、ストッパ１８の構成及び動作を説明する。図６（ａ）及び図６（ｂ）は、ストッパ１８を上面から見た概略構成図である。ストッパ１８は、第２検知部１７の左側に配置された第２検知部ストッパピン１８ａと、第２検知部１７の右側に配置されたリサイクル通路ストッパピン１８ｂを有する。ストッパピン１８ａ及び１８ｂは、それぞれ、一端が筐体１８ｅに回動可能に固定された支持部材１８ｃ、１８ｄによって支持されている。そして、筐体１８ｅは、制御部６からの制御信号により、左右に動くように構成されている。そして、図６（ａ）に示すように、筐体１８ｅが左側へ移動すると、リサイクル通路ストッパピン１８ｂがリサイクル通路１３の側壁内へ退避して、第２検知部１７への手前で係止されていたコインＣ１を第２検知部１７へ転動させる。同時に、第２検知部ストッパピン１８ａが、リサイクル通路１３の側壁から通路内に突出して、第２検知部１７からコイン返却口１６への通路を閉じ、コインＣ１を第２検知部１７に係止させる。一方、図６（ｂ）に示すように、筐体１８ｅが右側へ移動すると、リサイクル通路ストッパピン１８ｂがリサイクル通路１３の側壁から通路内に突出して、リサイクル通路１３を閉じ、リサイクル通路１３に貯留されているコインＣ２を第２検知部１７の手前で係止させる。同時に、第２検知部ストッパピン１８ａがリサイクル通路１３の側壁内へ退避して、第２検知部１７に存在したコインＣ１の転動を可能にする。このように、ストッパ１８は、何れか一方のストッパピンをリサイクル通路１３内に突出させるので、２枚以上のコインが同時にコイン返却口へ転動してしまうことを防止できる。
【００２５】
コイン処理部２の側面には、第１検知部１１または第２検知部１７に係止されたコインから情報を読み取り、あるいはそのコインに記録された情報を更新するためのアンテナ１９が設置されている。そしてアンテナ１９は、制御部６と電気的に接続されており、コインから読み取った情報及びコインに書き込む情報を制御部６との間で通信する。このアンテナ１９は、無線認証システム（ＲＦ−ＩＤ）などで利用されるアンテナなどで構成され、第１検知部１１または第２検知部１７に保持されたコインに埋め込まれたＩＣタグとの間で非接触でデータの送受信を行うことができる。
【００２６】
さらに、第１検知部１１には、コインがその検知部１１に存在するか否かを検知するための投入センサ２０が設置される。同様に、第２検知部１７には、コインがその検知部１７に存在するか否かを検知するためのコイン有無センサ２１が設置される。これらセンサも、制御部６と電気的に接続され、コインを検知した場合ＯＮ、コインを検知しなかった場合ＯＦＦとなる信号を制御部６に送信する。投入センサ２０及びコイン有無センサ２１は、例えば、コイン処理部２の一方の側壁に設置された発光部と他方の側壁に設置された検出器からなるフォトセンサで構成される。そしてそれらのセンサは、コインが第１検知部１１または第２検知部１７に係止されていると、発光部からの光がそのコインに遮られて検出器に届かなくなることで、コインが第１検知部１１または第２検知部１７に係止されていることを検知する。なお、投入センサ２０またはコイン有無センサ２１として、近接センサなど、他のセンサを用いてもよい。
【００２７】
紙幣識別部３は、コインに記録された有価価値の残高を追加するための残高追加部として機能するものであり、遊技媒体貸出装置１の最上部に配置され、投入された紙幣を識別し、その額を算出して制御部６に送信する。なお紙幣識別部３は、紙幣を識別するための公知の様々な装置で構成できるため、ここでは詳細な構成の説明を省略する。
【００２８】
ユーザインターフェース部４は、遊技媒体貸出装置１の略中央、かつ遊技媒体貸出装置１の前面に配置される。そしてユーザインターフェース部４は、液晶ディスプレイなどの表示装置で構成される。またユーザインターフェース部４は、テンキーなどの入力装置を備えてもよく、あるいは、タッチパネルディスプレイなどのように、入力装置と表示装置が一体として構成されるものでもよい。そしてユーザインターフェース部４は、制御部６から受信した情報に基づき、コイン処理部２に投入されたコインから読み取った有価価値の残高、紙幣識別部３に投入された紙幣の額、貸し出される遊技媒体の量などを表示する。またユーザインターフェース部４は、表示装置を通じて暗証番号の入力を遊技者に求め、入力装置を通じて入力された暗証番号を制御部６に送信するように構成してもよい。
【００２９】
貯留ボタン５は、コイン処理部２のリサイクル通路１３内に残高の無いコインを投入するために使用される。貯留ボタン５が押下されると、そのことを示す信号が制御部６に送信され、制御部６は、コイン処理部２のシャッタ２２を開口させるなどして、リサイクル通路１３内へのコインの投入を可能とする。なお、コイン投入時の処理については後述する。また、貯留ボタン５は、公知の様々なボタンスイッチにて構成することができる。
【００３０】
制御部６は、遊技媒体貸出装置１の内部に配置され、マイクロプロセッサ、ＲＯＭ、ＲＡＭなどを有する電子回路で構成される。そして制御部６は、遊技媒体貸出装置１の各部を制御する。具体的には、遊技媒体貸出装置１は、コイン処理部２から受信した有価価値情報に示された有価価値の残高の範囲で、遊技媒体を貸し出す命令を遊技機１１０に送信する。また、紙幣識別部３から受信した有価価値に基づいて、コイン処理部２に投入されたコインなどの残高を修正したり、コインに記録された状態情報を修正する。さらに、有価価値の残高または状態情報の書き換えを行ったコインについて、その識別情報と有価価値の残高などを有価価値記録媒体管理装置１３０へ送信し、履歴情報として記憶させる。
【００３１】
以下、遊技媒体貸出装置１の動作を説明する。なお、以下に説明する動作は、制御部６によって制御される。
図７に、「価値有り」、すなわち有価価値の残高のあるコインが投入された場合の遊技媒体貸出装置１の動作フローチャートを示す。
初期状態として、遊技媒体貸出装置１は待機状態となっている。この場合、返却通路用フラッパ１４及びリサイクル通路用フラッパ１５はともに閉じている。また、第１検知部１１には、コインが存在しない。リサイクル通路１３には、残高の無いコインが１枚以上貯留されていてもよい。この場合、第２検知部１７に存在するコインの状態情報は「一時」である。
【００３２】
制御部６は、まず、投入センサ２０がＯＮとなったか否かを調べる（ステップＳ０１）。投入センサがＯＦＦである場合には、遊技媒体貸出装置１は、ステップＳ０１を繰り返し実行する。一方、ステップＳ０１において、投入センサがＯＮとなった場合、制御部６は、シャッタ２２を閉じ、コインが追加投入されることを防止する。また制御部６は、アンテナ１９を通じて、第１検知部１１に存在するはずのコインから識別情報及び状態情報を取得し、取得した情報に基づいて、第１検知部１１に「価値有り」コインが有るか否かを判定する（ステップＳ０２）。コインの識別情報、または「価値有り」であることを表す状態情報の何れかが取得されなかった場合、制御部６は、第１検知部１１に「価値有り」コインは無く、誤って「価値無し」コインまたは硬貨などの異物が投入されたと判断する。そして、制御部６は、返却通路用フラッパ１４を開け、投入された異物をコイン返却口１６へ排出する（ステップＳ０３）。そして、一定期間（例えば、３秒間）経過後、制御部６は、返却通路用フラッパ１４を閉じ（ステップＳ０４）、待機状態へと戻る。
【００３３】
一方、ステップＳ０２において、コインの識別情報及び、「価値有り」であることを表す状態情報が取得された場合、制御部６は、第１検知部１１に「価値有り」コインが有ると判定する。なお、ステップＳ０２において、第２検知部１７にコインが有ったとしても、そのコインは「価値無し」コインか「一時」コインであるため、第２検知部１７に存在するコインから「価値有り」を表す状態情報は取得されない。そのため、第２検知部１７に存在するコインを、第１検知部１１に存在するコインと誤って検出することは無い。
【００３４】
その後、遊技機１１０の返却ボタン１１１が押下されたか否かを判定する（ステップＳ０５）。返却ボタン１１１が押下されたことを、遊技機１１０から制御部６が受信すると、制御部６は、返却通路用フラッパ１４を開放し、第１検知部１１に有るコインをコイン返却口１６へ排出する（ステップＳ０７）。
図１０に、コイン返却時のコイン処理部２を示す。返却通路用フラッパ１４は、返却通路１２に沿う位置まで退避されており、第１検知部１１に係止されていたコインＣは、返却通路１２内を落下して、コイン返却口１６へ向かう。
【００３５】
返却通路用フラッパ１４が開放されてから、一定期間（例えば、３秒間）経過後、制御部６は、返却通路用フラッパ１４を閉じ（ステップＳ０８）、待機状態へと戻る。一方、ステップＳ０５において、返却ボタン１１１が押下されていない場合、遊技機１１０の玉貸ボタン１１２が押下されたか否かを判定する（ステップＳ０６）。玉貸ボタン１１２も押下されていない場合には、制御部６は、遊技媒体貸出装置１の制御をステップＳ０５へ戻し、返却ボタン１１１または玉貸ボタン１１２が押下されるまでステップＳ０５〜Ｓ０６を繰り返す。
【００３６】
一方、ステップＳ０６において、玉貸ボタン１１２が押下されたことを、遊技機１１０から制御部６が受信すると、制御部６は、遊技機１１０に対して、１回当たりの貸出量に相当する遊技媒体を貸し出す命令を送信する。また制御部６は、有価価値の残高から所定価値を差し引いた残りの残高をコイン処理部２へ送信し、アンテナ１９を通じて第１検知部１１に存在するコインに書き込む（ステップＳ０９）。その際、制御部６は、「価値有り」コインの識別番号、すなわち、ステップＳ０２で第１検知部１１に存在するコインから読み取った識別番号を、残高とともにアンテナ１９を通じて送信する。そしてコインでは、送信された識別情報が、内蔵するＩＣタグに記録された識別情報と照合して一致する場合にのみ、残高を書き換える。そのため、第２検知部１７にもコインが存在する場合でも、第１検知部１１に存在するコインのみ、残高が修正される。
また制御部６は、その残りの残高をユーザインターフェース部４に表示させる。さらに制御部６は、ステップＳ０２でコインから読み取った識別情報とともに、修正された有価価値の残高を、有価価値記録媒体管理装置１３０に送信する。有価価値記録媒体管理装置１３０では、受信した識別情報で特定されるコインの履歴情報に、受信した有価価値の残高を書き込み、その履歴情報を更新する。
【００３７】
その後、制御部６は、そのコインの残高が、残っているか否かを調べる（ステップＳ１０）。残高が残っている場合、制御部６は、遊技媒体貸出装置１の制御をステップＳ０５へ戻す。一方、ステップＳ１０において、第１検知部１１に存在するコインの残高が残っていない場合、制御部６は、「価値無し」を表す状態情報をコイン処理部２へ送信し、アンテナ１９を通じて第１検知部１１に存在するコインの状態情報を、「価値無し」に修正する（ステップＳ１１）。この場合においても、制御部６は、ステップＳ０２で第１検知部１１に存在するコインから読み取った識別番号を、その状態情報とともにアンテナ１９を通じて送信する。そしてコインでは、受信した識別情報が、内蔵するＩＣタグに記録された識別情報と一致する場合にのみ、状態情報を書き換えるので、第１検知部１１に係止されたコインの状態情報のみが修正される。
【００３８】
その後、制御部６は、リサイクル通路用フラッパ１５を開放し、第１検知部１１に存在する、「価値無し」に修正されたコインをリサイクル通路１３に回収する（ステップＳ１２）。それに伴い、投入センサ２０はＯＦＦとなる。
図１１に、コイン回収時におけるコイン処理部２を示す。リサイクル通路用フラッパ１５は、リサイクル通路１３の上端に沿う位置まで退避されており、第１検知部１１に係止されていたコインＣは、リサイクル通路１３内に貯留される。
リサイクル通路用フラッパ１５が開放されてから、一定期間（例えば、３秒間）経過後、制御部６は、リサイクル通路用フラッパ１５を閉じる（ステップＳ１３）。またシャッタ２２を開放する。
【００３９】
その後、制御部６は、コイン有無センサ２１がＯＮか否か、すなわち、第２検知部１７にコインが存在するか否かを判定する（ステップＳ１４）。コイン有無センサ２１がＯＦＦであれば、制御部６は、ステップＳ１４を繰り返す。一方、コイン有無センサ２１がＯＮの場合、制御部６は、アンテナ１９を通じて第２検知部１７に存在するコインの識別情報を取得する。このとき、制御部６は、「価値無し」あるいは「一時」を表す状態情報とともに得られた識別情報を、第２検知部１７に存在するコインの識別情報と認識する。そして、制御部６は、第２検知部１７に存在するコインの識別情報とともに、「一時」を表す状態情報をコイン処理部２に送り、アンテナ１９を通じて第２検知部１７に存在するコインの状態情報を「一時」に書き換える（ステップＳ１５）。その後、待機状態へと戻る。このように、本実施形態では、第２検知部１７に係止されたコインは、その状態情報が「一時」となるように修正される。
【００４０】
次に、紙幣識別装置３に紙幣が投入され、リサイクル通路１３内に貯留された「価値無し」コインの残高を増やして「価値有り」コインとする場合の遊技媒体貸出装置１の動作を、図８に示したフローチャートを参照しつつ説明する。
初期状態として、遊技媒体貸出装置１は待機状態となっている。この場合、返却通路用フラッパ１４及びリサイクル通路用フラッパ１５はともに閉じている。また、第１検知部１１には、コインが存在しない。リサイクル通路１３には、「価値無し」状態、すなわち、残高の無いコインが１枚以上貯留されており、第２検知部１７に「一時」コインが存在する。そして制御部６は、第２検知部１７に存在するコインの識別情報を取得し、制御部６内のメモリに一時的に保存している。
【００４１】
制御部６は、紙幣識別部３に紙幣が投入されたか否かを調べる（ステップＳ２１）。紙幣の投入が検知されない場合、ステップＳ２１を繰り返す。一方、ステップＳ２１で、紙幣の投入が検知されると、制御部６は、コインが追加投入されないように、シャッタ２２を閉じる。また制御部６は、紙幣識別部３から受信した投入額に相当する有価価値の残高を、第２検知部１７に存在するコインの識別情報とともにコイン処理部２へ送信する。そして、アンテナ１９を通じて第２検知部１７に存在するコインの有価価値の残高を、制御部６から送られた値に修正する（ステップＳ２２）。さらに制御部６は、その新たな残高をユーザインターフェース部４に表示させる。さらに制御部６は、事前にコインから読み取った識別情報とともに、修正された有価価値の残高を、有価価値記録媒体管理装置１３０に送信する。有価価値記録媒体管理装置１３０では、受信した識別情報で特定されるコインの履歴情報に、受信した有価価値の残高を書き込み、その履歴情報を更新する。
【００４２】
その後、遊技機１１０の返却ボタン１１１が押下されたか否かを判定する（ステップＳ２３）。返却ボタン１１１が押下されたことを、遊技機１１０から制御部６が受信すると、制御部６は、「価値有り」を表す状態情報を、第２検知部１７に存在するコインの識別情報とともにコイン処理部２へ送信し、アンテナ１９を通じて第２検知部１７に存在するコインの状態情報を、「価値有り」に修正する（ステップＳ２５）。そして制御部６は、ストッパ１８のストッパピン１８ａをリサイクル通路１３の外へ退避し、ストッパピン１８ｂをリサイクル通路１３内に突出させる。そして、第２検知部１７に有るコインを返却口１６へ排出する（ステップＳ２６）。その後、制御部６は、ストッパ１８のストッパピン１８ｂをリサイクル通路１３の外へ退避し、ストッパピン１８ａをリサイクル通路１３内に突出させ、リサイクル通路１３内に貯留されている「価値無し」コインを第２検知部１７へ誘導する（ステップＳ２７）。そして、制御部６は、アンテナ１９を通じて第２検知部１７に存在するコインの識別情報を取得し、制御部６内のメモリに保存する。また制御部６は、その識別情報とともに、「一時」を表す状態情報をコイン処理部２に送り、アンテナ１９を通じて第２検知部１７に係止されたコインの状態情報を「一時」に修正する（ステップＳ２８）。同時に制御部６は、シャッタ２２を開放する。その後、待機状態へと戻る。
【００４３】
一方、ステップＳ２３において、返却ボタン１１１が押下されていない場合、遊技機１１０の玉貸ボタン１１２が押下されたか否かを判定する（ステップＳ２４）。玉貸ボタン１１２も押下されていない場合には、制御部６は、遊技媒体貸出装置１の制御をステップＳ２３へ戻し、返却ボタン１１１または玉貸ボタン１１２が押下されるまでステップＳ２３〜Ｓ２４を繰り返す。
【００４４】
一方、ステップＳ２４において、玉貸ボタン１１２が押下されたことを、遊技機１１０から制御部６が受信すると、制御部６は、遊技機１１０に対して、１回当たりの貸出量に相当する遊技媒体を貸し出す命令を送信する。また制御部６は、有価価値の残高から所定価値を差し引いた残りの残高をコイン処理部２へ送信し、アンテナ１９を通じて第２検知部１７に存在するコインに書き込む（ステップＳ２９）。その際、制御部６は、事前に第２検知部１７に存在するコインから読み取った識別番号を、有価価値の残高とともにアンテナ１９を通じて送信する。そしてコインでは、送信された識別情報が、内蔵するＩＣタグに記録された識別情報と照合して一致する場合にのみ、残高を書き換える。また制御部６は、事前にコインから読み取った識別情報とともに、修正された有価価値の残高を、有価価値記録媒体管理装置１３０に送信する。有価価値記録媒体管理装置１３０では、受信した識別情報で特定されるコインの履歴情報に、受信した有価価値の残高を書き込み、その履歴情報を更新する。
【００４５】
その後、制御部６は、そのコインの残高が、残っているか否かを調べる（ステップＳ３０）。残高が残っている場合、制御部６は、遊技媒体貸出装置１の制御をステップＳ２３へ戻す。一方、ステップＳ３０において、第２検知部１７に存在するコインの残高が残っていない場合、制御部６は、シャッタ２２を開放し（ステップＳ３１）、遊技媒体貸出装置１を待機状態に戻す。
【００４６】
さらに、リサイクル通路１３内に「価値無し」コインを貯留する場合の遊技媒体貸出装置１の動作を、図９に示したフローチャートを参照しつつ説明する。
初期状態として、遊技媒体貸出装置１は待機状態となっている。この場合、返却通路用フラッパ１４及びリサイクル通路用フラッパ１５はともに閉じている。また、第１検知部１１には、コインが存在しない。リサイクル通路１３には、残高の無いコインが１枚以上貯留されていてもよい。この場合、第２検知部１７に存在するコインの状態情報は「一時」である。
【００４７】
まず、制御部６は、貯留ボタン５が押下されたか否かを調べる（ステップＳ４１）。貯留ボタン５が押下されていない場合、制御部６はステップＳ４１を繰り返す。一方、貯留ボタン５が押下され、そのことを示す信号を制御部６が受信すると、制御部６は、投入センサ２０がＯＮとなったか否かを調べる（ステップＳ４２）。投入センサがＯＦＦである場合には、制御部６は、ステップＳ４１〜Ｓ４２を繰り返し実行する。一方、ステップＳ４２において、投入センサがＯＮとなった場合、制御部６は、アンテナ１９を通じて第１検知部１１に存在するコインの状態情報と識別情報を取得する（ステップＳ４３）。このとき、第２検知部１７にもコインが存在したとしても、取得されたコインの状態情報を参照し、その状態情報が「価値有り」か「価値無し」である方のコインを第１検知部１１に存在するコインと特定できる。その後、制御部６はシャッタ２２を閉じ、コインが追加投入されることを防止する（ステップＳ４４）。
【００４８】
次に、制御部６は、第１検知部１１に存在するコインが「価値有り」コインか「価値無し」コインか判定する（ステップＳ４５）。「価値有り」コインであれば、制御部６は、返却通路用フラッパ１４を開放し、第１検知部１１に存在するコインを返却する（ステップＳ４６）。そして一定期間経過後（例えば３秒後）、返却通路用フラッパ１４を閉じ（ステップＳ４７）、待機状態に戻る。一方、ステップＳ４５において、そのコインが「価値無し」コインと判断されれば、制御部６は、リサイクル通路用フラッパ１５を開放し、そのコインをリサイクル通路１３内へ転動させて回収する（ステップＳ４８）。そして一定期間経過後、リサイクル通路用フラッパ１５を閉じる（ステップＳ４９）。
【００４９】
その後、制御部６は、コイン有無センサ２１がＯＮか否か、すなわち、第２検知部１７にコインが存在するか否かを判定する（ステップＳ５０）。コイン有無センサ２１がＯＦＦであれば、制御部６は、ステップＳ５０を繰り返す。一方、コイン有無センサ２１がＯＮの場合、制御部６は、アンテナ１９を通じて第２検知部１７に存在するコインの識別情報を取得する。このとき、制御部６は、「価値無し」あるいは「一時」を表す状態情報とともに得られた識別情報を、第２検知部１７に存在するコインの識別情報と認識する。そして、制御部６は、第２検知部１７に存在するコインの識別情報とともに、「一時」を表す状態情報をコイン処理部２に送り、アンテナ１９を通じて第２検知部１７に存在するコインの状態情報を「一時」に書き換える（ステップＳ５１）。その後、制御部６は、シャッタ２２を開放し（ステップＳ５２）、待機状態へと戻る。
【００５０】
上記の実施形態では、コインの識別番号を、状態情報とともに取得することで、第１検知部１１と第２検知部１７の両方にコインが存在する場合であっても、第２の検知部１７に存在するコインの識別番号を特定した。しかし、第１検知部１１にコインが存在する間に、リサイクル通路１３へ回収されたコインの識別番号を取得し、その取得順と、第２検知部１７を通じて返却されたコインの識別番号を制御部６で管理しておくことにより、第２検知部１７でコインの識別情報を取得しなくても、第２検知部１７に存在するコインの識別番号を特定することができる。
【００５１】
以上説明してきたように、本発明を適用した遊技媒体貸出装置は、コインに記録された状態情報を参照して、有価価値の残高を書き換えるコインを特定することにより、二つの検知部にコインが同時に存在しても、一つのアンテナで、一方のコインに記憶された情報のみを更新することができる。特に、上記の実施形態では、第２検知部１７に存在するコインの状態情報は、第２検知部１７に係止された直後及び第２検知部１７から返却される直前を除き、「一時」となっているため、アンテナ１９を通じて読み取ったコインの識別情報が「一時」か否かを調べることにより、第１検知部１１に存在するコインか、第２検知部１７に存在するコインかを特定できる。また、コインに記録された情報を修正する際には、アンテナ１９を通じて修正情報をコインの識別情報とともに送信するので、コインに内蔵されたＩＣタグの方で、受信した識別情報がＩＣタグに記憶されている識別情報と一致するか否かにより、その修正情報を反映するか否かを決定できる。そのため、二つの検知部の両方にコインが存在する場合でも、一方のコインの情報だけを適切に修正できる。
【００５２】
なお、上述してきた実施形態は、本発明を説明するためのものであり、本発明は、これらの実施形態に限定されるものではない。例えば、図８に示した紙幣投入時の動作について、ステップＳ２２でシャッタ２２を閉じず、有価価値の残高を持ったコインを追加投入できるように動作させてもよい。この場合、有価価値の残高のある、すなわち、「価値有り」コインが第１検知部１１に存在すると、制御部６は、紙幣の投入または玉の貸し出しの際、第２検知部１７に存在する「一時」コインではなく、第１検知部１１に存在する「価値有り」コインの有価価値情報を修正する。
【００５３】
このように、本発明の範囲内で、様々な修正を行うことができる。
【図面の簡単な説明】
【００５４】
【図１】本発明を適用した遊技媒体貸出装置の概略斜視図である。
【図２】本発明を適用した遊技媒体貸出装置の設置状態を表す概略図である。
【図３】本発明を適用した遊技媒体貸出装置の機能ブロック図である。
【図４】本発明を適用した遊技媒体貸出装置で使用されるコインの概略構成図である。
【図５】（ａ）は、コイン処理部の概略斜視透過図であり、（ｂ）は、コイン処理部の概略側面透過図である。
【図６】（ａ）及び（ｂ）は、ストッパを上面から見た概略構成図である。
【図７】有価価値の残高のあるコインが投入された場合における、遊技媒体貸出装置の動作フローチャートである。
【図８】紙幣が投入された場合における、遊技媒体貸出装置の動作フローチャートである。
【図９】リサイクル通路に残高の無いコインを貯留させる場合における、遊技媒体貸出装置の動作フローチャートである。
【図１０】コイン返却時における、コイン処理部の概略側面透過図である。
【図１１】コイン貯留時における、コイン処理部の概略側面透過図である。
【符号の説明】
【００５５】
１    遊技媒体貸出装置
２    コイン処理部
３    紙幣識別部
４    ユーザインタフェース部
５    貯留ボタン
６    制御部
７    コイン
８    ＩＣタグ
１０    コイン投入口
１１    第１検知部
１２    返却通路
１３    リサイクル通路
１４    返却通路用フラッパ
１５    リサイクル通路用フラッパ
１６    コイン返却口
１７    第２検知部
１８    ストッパ
１８ａ、１８ｂ    ストッパピン
１８ｃ、１８ｄ    支持部材
１８ｅ    ストッパ筐体
１９    アンテナ
２０    投入センサ
２１    コイン有無センサ
２２    シャッタ
１１０、１２０    遊技機
１１１    返却ボタン
１１２    玉貸ボタン
１３０    有価価値記録媒体管理装置
Ｃ，Ｃ１，Ｃ２    コイン
【図１】
0004888248.tif 000002
【図２】
0004888248.tif 000003
【図３】
0004888248.tif 000004
【図４】
0004888248.tif 000005
【図５】
0004888248.tif 000006
【図６】
0004888248.tif 000007
【図７】
0004888248.tif 000008
【図８】
0004888248.tif 000009
【図９】
0004888248.tif 000010
【図１０】
0004888248.tif 000011
【図１１】
0004888248.tif 000012